(57)【要約】【課題】【００８７】清掃部材の往動時および復動時の何れにおいても放電ワイヤの清掃を行い、清掃部材の一方向への移動時に一旦は清掃部材に付着し放電ワイヤから除去された汚れが、他方向への移動時に放電ワイヤに再付着することがなく、長期にわたり清掃性能を維持する放電ワイヤ清掃装置、これを有する放電装置及びこれらを有する画像形成装置の提供。【解決手段】放電ワイヤ１ｂに沿って往復動する清掃部材１２を有し、清掃部材１２が、往動時に放電ワイヤ１ｂに係合する清掃部１２ａ（１２ａ１、１２ａ２）と、復動時に放電ワイヤ１ｂに係合する清掃部１２ｂ（１２ｂ１、１２ｂ２）とを有する。【選択図】      図４
2004317702.tif 000002
【特許請求の範囲】
【請求項１】
放電ワイヤに沿って往復動する清掃部材を有する放電ワイヤ清掃装置において、上記清掃部材が、往動時に放電ワイヤに係合する第１の清掃部と、復動時に放電ワイヤに係合する第２の清掃部とを有することを特徴とする放電ワイヤ清掃装置。
【請求項２】
請求項１記載の放電ワイヤ清掃装置において、
上記清掃部材を支持し同清掃部材とともに放電ワイヤに沿って往復動する支持部材であって、第１の清掃部を放電ワイヤに係合させる第１の態位と、第２の清掃部を放電ワイヤに係合させる第２の態位を占めることが可能な支持部材と、
この支持部材の往動の始端部で同支持部材を第１の態位とし、同支持部材の復動の始端部で同支持部材を第２の態位とする搖動手段とを有することを特徴とする放電ワイヤ清掃装置。
【請求項３】
請求項２記載の放電ワイヤ清掃装置において、上記搖動手段が、上記支持部材に形成された第１の係合部と、上記支持部材の往復動の始端部に配設され第１の係合部に係合し上記支持部材の態位を第１の態位と第２の態位との間で変更するための第２の係合部とを有することを特徴とする放電ワイヤ清掃装置。
【請求項４】
請求項２または３記載の放電ワイヤ清掃装置において、上記搖動手段が、上記支持部材の往動中は同支持部材の第１の態位を維持し、上記支持部材の復動中は同支持部材の第２の態位を維持することを特徴とする放電ワイヤ清掃装置。
【請求項５】
請求項４記載の放電ワイヤ清掃装置であって、上記搖動手段が、第１の係合部と第２の係合部とを有する放電ワイヤ清掃装置において、上記搖動手段が、放電ワイヤの張設方向に略平行に設けられた並設部材を有し、この並設部材が、上記支持部材の往復動中に第１の係合部に係合することで、上記支持部材の往動中は同支持部材の第１の態位を維持し、上記支持部材の往動中は同支持部材の第１の態位を維持することを特徴とする放電ワイヤ清掃装置。
【請求項６】
請求項５記載の放電ワイヤ清掃装置において、上記並設部材が第２の係合部を有することを特徴とする放電ワイヤ清掃装置。
【請求項７】
請求項５または６記載の放電ワイヤ清掃装置において、上記並設部材が放電ワイヤのケーシングに備えられていることを特徴とする放電ワイヤ清掃装置。
【請求項８】
請求項３ないし７の何れか１つに記載の放電ワイヤ清掃装置であって、上記搖動手段が、第１の係合部と第２の係合部とを有する放電ワイヤ清掃装置において、第１の係合部が上記支持部材に凸設された凸部であり、第２の係合部が上記凸部を受け入れる凹部であることを特徴とする放電ワイヤ清掃装置。
【請求項９】
請求項２ないし８の何れか１つに記載の放電ワイヤ清掃装置において、上記搖動手段が、上記支持部材を、放電ワイヤによる放電対象物に対向する平面内で搖動させることを特徴とする放電ワイヤ清掃装置。
【請求項１０】
請求項１ないし９の何れか１つに記載の放電ワイヤ清掃装置において、第１の清掃部と第２の清掃部とがそれぞれ、放電ワイヤに対して互いに反対側から係合する少なくとも２つの部材を有することを特徴とする放電ワイヤ清掃装置。
【請求項１１】
請求項１ないし１０の何れか１つに記載の放電ワイヤ清掃装置において、上記清掃部材が、放電ワイヤの形状に沿って変形する弾性部材を有することを特徴とする放電ワイヤ清掃装置。
【請求項１２】
請求項１１記載の放電ワイヤ清掃装置において、上記清掃部材が、放電ワイヤに係合し放電ワイヤを研磨するための、上記弾性部材と一体の研磨部材を有することを特徴とする放電ワイヤ清掃装置。
【請求項１３】
請求項１１記載の放電ワイヤ清掃装置において、上記弾性部材自身が、放電ワイヤを研磨することを特徴とする放電ワイヤ清掃装置。
【請求項１４】
請求項１１ないし１３の何れか１つに記載の放電ワイヤ清掃装置において、上記清掃部材が、放電ワイヤに付着した不要物を吸着及び／又は保持することを特徴とする放電ワイヤ清掃装置。
【請求項１５】
請求項１４記載の放電ワイヤ清掃装置であって、上記清掃部材が、放電ワイヤを研磨する第１の機能と、放電ワイヤに付着した不要物を吸着及び／又は保持する第２の機能とを有する放電ワイヤ清掃装置において、第１の清掃部と第２の清掃部とのうち、何れか一方が第１の機能を有し、何れか他方が第２の機能を有することを特徴とする放電ワイヤ清掃装置。
【請求項１６】
請求項１ないし１５の何れか１つに記載の放電ワイヤ清掃装置と、この放電ワイヤ清掃装置により清掃される放電ワイヤとを有する放電装置。
【請求項１７】
請求項１ないし１５の何れか１つに記載の放電ワイヤ清掃装置、または、請求項１６記載の放電装置を有する画像形成装置。
【請求項１８】
請求項１７記載の画像形成装置において、上記放電装置が、像担持体を帯電させるための帯電装置及び／又は像担持体を除電するための除電装置及び／又は像担持体上のトナー像を記録媒体に転写するための転写装置及び／又は像担持体から記録媒体を分離するための分離装置であることを特徴とする画像形成装置。
【発明の詳細な説明】
【０００１】
【発明の属する技術分野】
本発明は、複写機、ファクシミリ、プリンタ等の画像形成装置等に備えられ、放電を行う放電ワイヤの清掃を行うワイヤ清掃装置、これを備えた放電装置及びこれらを備えたかかる画像形成装置等に関し、特に、放電ワイヤの清掃を効果的に行う技術に関する。
【０００２】
【従来の技術】
複写機、プリンタ、ファクシミリ等の画像形成装置には、感光体等の像担持体を帯電させるための帯電装置、像担持体を除電するための除電装置、像担持体上のトナー像を記録媒体に転写するための転写装置、像担持体から記録媒体を分離するための分離装置など、種々の放電装置が備えられており、また放電装置は画像形成装置に限らず種々の機器に用いられている。
【０００３】
かかる放電装置に、放電ワイヤを用いるタイプがある。この種の放電装置にあっては、放電ワイヤが汚れると放電性能が低下し所期の機能を果たすことができなくなる。たとえば、かかる画像形成装置においては、機内にトナーや紙粉が飛散するため、放電ワイヤが汚れやすく、放電ワイヤが汚れると画像形成に支障をきたすこととなる。
【０００４】
このため、放電ワイヤの清掃を行う必要があるが、これをユーザー等が行うには、放電ワイヤを露出させる作業、露出した放電ワイヤに大きな応力を加えることなく清掃を行う作業を要する等、非常に煩雑な作業を要するため、従来より、「特許文献１」ないし「特許文献７」等において開示されているように、放電装置に備えられた、駆動モータにより放電ワイヤに沿って清掃部材を往復動させ放電ワイヤの清掃を行う放電ワイヤ清掃装置が提案されている。
【０００５】
【特許文献１】
特開平７−２９５３４６号公報（段落「００１７」、「００２２」、図３、４）
【特許文献２】
特開平１１−３２７２６６号公報（段落「００２２」、「００２４」、図６）
【特許文献３】
特開平１０−９０９８０号公報（段落「０００６」、「００３４」、図４、５）
【特許文献４】
特開平９−２９７４５６号公報（段落「００３９」、図５）
【特許文献５】
特開平８−２４８７３８号公報（段落「００１４」、図３）
【特許文献６】
特開平７−１２１０１５号公報
【特許文献７】
特開平９−１９００５２号公報（段落「００３９」、「００４３」、図５〜７）
【０００６】
【発明が解決しようとする課題】
しかし、「特許文献１」ないし「特許文献３」において開示されているように、清掃部材の往動時または復動時の何れか一方のみに清掃を行う構成では、清掃効率が低い。また、「特許文献４」ないし「特許文献７」において開示されているように、清掃部材の往動時および復動時の何れにおいても清掃を行う構成によれば、清掃効率は向上しているとも考えられるが、かかる「特許文献４」ないし「特許文献７」において開示されている構成では、清掃部材の往動時においても復動時においても、清掃部材の同じ部位が放電ワイヤに当接して清掃を行うため、清掃部材の一方向への移動時に一旦は当該部位に付着し放電ワイヤから除去された汚れが、他方向への移動時に放電ワイヤに再付着してしまうという不具合がある。
【０００７】
さらに、「特許文献１」ないし「特許文献７」において開示されている構成では、清掃部材の往復時または復動時の何れか一方のみに清掃を行う構成であっても、清掃部材の往動時および復動時の何れにおいても清掃を行う構成であっても、清掃部材の放電ワイヤへの当接部位は常に同一であり、経時において、当該当接部位の汚れが悪化した場合や、放電ワイヤの汚れが悪化した場合には、放電ワイヤの清掃が行われなくなってしまうという不具合がある。
【０００８】
本発明は、清掃部材の往動時および復動時の何れにおいても放電ワイヤの清掃を行うとともに、清掃部材の一方向への移動時に一旦は清掃部材に付着し放電ワイヤから除去された汚れが、他方向への移動時に放電ワイヤに再付着することがなく、さらには、長期にわたって清掃性能を維持する放電ワイヤ清掃装置、これを有する放電装置およびこれらを有する画像形成装置を提供するものである。
【０００９】
【課題を解決するための手段】
上記目的を達成するため、請求項１記載の発明は、放電ワイヤに沿って往復動する清掃部材を有する放電ワイヤ清掃装置において、上記清掃部材が、往動時に放電ワイヤに係合する第１の清掃部と、復動時に放電ワイヤに係合する第２の清掃部とを有することを特徴とする。
【００１０】
請求項２記載の発明は、請求項１記載の放電ワイヤ清掃装置において、上記清掃部材を支持し同清掃部材とともに放電ワイヤに沿って往復動する支持部材であって、第１の清掃部を放電ワイヤに係合させる第１の態位と、第２の清掃部を放電ワイヤに係合させる第２の態位を占めることが可能な支持部材と、この支持部材の往動の始端部で同支持部材を第１の態位とし、同支持部材の復動の始端部で同支持部材を第２の態位とする搖動手段とを有することを特徴とする。
【００１１】
請求項３記載の発明は、請求項２記載の放電ワイヤ清掃装置において、上記搖動手段が、上記支持部材に形成された第１の係合部と、上記支持部材の往復動の始端部に配設され第１の係合部に係合し上記支持部材の態位を第１の態位と第２の態位との間で変更するための第２の係合部とを有することを特徴とする。
【００１２】
請求項４記載の発明は、請求項２または３記載の放電ワイヤ清掃装置において、上記搖動手段が、上記支持部材の往動中は同支持部材の第１の態位を維持し、上記支持部材の復動中は同支持部材の第２の態位を維持することを特徴とする。
【００１３】
請求項５記載の発明は、請求項４記載の放電ワイヤ清掃装置であって、上記搖動手段が、第１の係合部と第２の係合部とを有する放電ワイヤ清掃装置において、上記搖動手段が、放電ワイヤの張設方向に略平行に設けられた並設部材を有し、この並設部材が、上記支持部材の往復動中に第１の係合部に係合することで、上記支持部材の往動中は同支持部材の第１の態位を維持し、上記支持部材の往動中は同支持部材の第１の態位を維持することを特徴とする。
【００１４】
請求項６記載の発明は、請求項５記載の放電ワイヤ清掃装置において、上記並設部材が第２の係合部を有することを特徴とする。
【００１５】
請求項７記載の発明は、請求項５または６記載の放電ワイヤ清掃装置において、上記並設部材が放電ワイヤのケーシングに備えられていることを特徴とする。
【００１６】
請求項８記載の発明は、請求項３ないし７の何れか１つに記載の放電ワイヤ清掃装置であって、上記搖動手段が、第１の係合部と第２の係合部とを有する放電ワイヤ清掃装置において、第１の係合部が上記支持部材に凸設された凸部であり、第２の係合部が上記凸部を受け入れる凹部であることを特徴とする。
【００１７】
請求項９記載の発明は、請求項２ないし８の何れか１つに記載の放電ワイヤ清掃装置において、上記搖動手段が、上記支持部材を、放電ワイヤによる放電対象物に対向する平面内で搖動させることを特徴とする。
【００１８】
請求項１０記載の発明は、請求項１ないし９の何れか１つに記載の放電ワイヤ清掃装置において、第１の清掃部と第２の清掃部とがそれぞれ、放電ワイヤに対して互いに反対側から係合する少なくとも２つの部材を有することを特徴とする。
【００１９】
請求項１１記載の発明は、請求項１ないし１０の何れか１つに記載の放電ワイヤ清掃装置において、上記清掃部材が、放電ワイヤの形状に沿って変形する弾性部材を有することを特徴とする。
【００２０】
請求項１２記載の発明は、請求項１１記載の放電ワイヤ清掃装置において、上記清掃部材が、放電ワイヤに係合し放電ワイヤを研磨するための、上記弾性部材と一体の研磨部材を有することを特徴とする。
【００２１】
請求項１３記載の発明は、請求項１１記載の放電ワイヤ清掃装置において、上記弾性部材自身が、放電ワイヤを研磨することを特徴とする。
【００２２】
請求項１４記載の発明は、請求項１１ないし１３の何れか１つに記載の放電ワイヤ清掃装置において、上記清掃部材が、放電ワイヤに付着した不要物を吸着及び／又は保持することを特徴とする。
【００２３】
請求項１５記載の発明は、請求項１４記載の放電ワイヤ清掃装置であって、上記清掃部材が、放電ワイヤを研磨する第１の機能と、放電ワイヤに付着した不要物を吸着及び／又は保持する第２の機能とを有する放電ワイヤ清掃装置において、第１の清掃部と第２の清掃部とのうち、何れか一方が第１の機能を有し、何れか他方が第２の機能を有することを特徴とする。
【００２４】
請求項１６記載の発明は、請求項１ないし１５の何れか１つに記載の放電ワイヤ清掃装置と、この放電ワイヤ清掃装置により清掃される放電ワイヤとを有する放電装置にある。
【００２５】
請求項１７記載の発明は、請求項１ないし１５の何れか１つに記載の放電ワイヤ清掃装置、または、請求項１６記載の放電装置を有する画像形成装置にある。
【００２６】
請求項１８記載の発明は、請求項１７記載の画像形成装置において、上記放電装置が、像担持体を帯電させるための帯電装置及び／又は像担持体を除電するための除電装置及び／又は像担持体上のトナー像を記録媒体に転写するための転写装置及び／又は像担持体から記録媒体を分離するための分離装置であることを特徴とする。
【００２７】
【実施例】
図１に本発明を適用した画像形成装置の概略を示す。画像形成装置は複写機、ファクシミリ、プリンタ等周知のものであれば何れでもよい。本実施例の画像形成装置は単色の画像を形成するものであるが、カラー画像を形成するものであっても良い。本発明を適用した放電ワイヤ清掃装置、放電装置は画像形成装置への適用に限られるものではなく、他の機器への適用も可能である。
【００２８】
画像形成装置１００は、一般にコピー等に用いられる普通紙と、フィルム、ＯＨＰシートや、カード、ハガキといった９０Ｋ紙、坪量約１００ｇ／ｍ２相当以上の厚紙や、封筒等の、普通紙よりも熱容量が大きないわゆる特殊シートとの何れをもシート状の記録媒体である転写紙Ｐとして用いることが可能である。転写紙Ｐの大きさは、Ａ４サイズやＡ３サイズ等の一般的な規格をなす大きさが一般的であるが、規格外の大きさであっても良い。
【００２９】
画像形成装置１００は、矢印Ａ方向に回転駆動される円筒状に形成された像担持体としての感光体ドラム（以下、「感光体」という。）１０１と、感光体１０１を一様に帯電するための帯電手段としての放電装置である帯電装置１と、帯電後の感光体１０１に画像情報に応じた潜像を形成するレーザー光１０３を発して光走査を行う露光手段としての図示しない露光装置とを有している。
【００３０】
画像形成装置１００はまた、露光後の感光体１０１上の潜像を現像する現像手段としての現像装置１０４と、現像装置１０４による現像によって得られた感光体１０１上のトナー像を、転写材ガイド部材としてのガイド部材１０８によって案内され感光体１０１に密着させられる転写紙Ｐに静電転写する転写手段としての放電装置である転写装置２とを有している。
【００３１】
画像形成装置１００はまた、感光体１０１上のトナー像を転写された転写紙Ｐを感光体１０１から分離する分離手段としての放電装置である分離帯電装置３と、転写後の感光体１０１上に残った不要物である転写残トナーを感光体１０１から掻き落とすことによって感光体１０１をクリーニングするクリーニング手段としてのクリーニング装置１０６と、帯電装置１で帯電を行う前に感光体１０１の除電を行う除電手段としての放電装置である除電装置４とを有している。
【００３２】
画像形成装置１００はまた、転写紙Ｐを積載している図示しない給紙トレイと、給紙トレイに積載した転写紙Ｐを感光体１０１と転写装置１０５との対向部である転写領域１０７に向けて送り出す給紙手段としての図示しない給紙ローラと、給紙ローラによって給紙トレイから送られてきた転写紙Ｐを所定のタイミングでガイド部材１０８を通過させ転写領域１０７に搬送するレジストローラ１０５と、転写装置１０４により感光体１０１上のトナー像を転写された転写紙Ｐに、かかるトナー像の定着を行う定着手段としての定着装置１０２とを有している。定着後の転写紙Ｐは画像形成装置１００外部に排出される。
【００３３】
現像装置１０４は、キャリアとトナーとを有する２成分現像剤により現像を行うものであり、感光体１０１はかかる現像剤で現像されることでトナー像を担持するようになっている。現像装置１０４に備えられた現像ローラ１０４ａは、感光体１０１との対向位置においてＡ方向と同じ方向に移動するＢ方向に回転する。クリーニング装置１０６は、ブレード１０６ａにより感光体１０１の表面に残留し付着しているトナーや、微細な紙粉などの不要物を除去するものである。
【００３４】
定着装置１０２は、加熱を行う定着ローラ１０２ａと、定着ローラ１０２ａに圧接された加圧ローラ１０２ｂと、定着ローラ１０２ａと加圧ローラ１０２ｂとが当接するニップ部１０２ｃに転写紙Ｐを案内するガイド板１０２ｄとを有しており、転写紙Ｐ上のトナーをニップ部１０２ｂにおいて加熱溶解して転写紙Ｐ上に定着させるものである。
【００３５】
帯電装置１は、放電対象物たる感光体１０１に放電するための放電ワイヤたるワイヤ１ａと、ワイヤ１ａのケーシング１ｂとを有している。転写装置２は、放電対象物たる感光体１０１に放電するための放電ワイヤたるワイヤ２ａと、ワイヤ２ａのケーシング２ｂとを有している。分離帯電装置３は、放電対象物たる感光体１０１に放電するための放電ワイヤたるワイヤ３ａと、ワイヤ３ａのケーシング３ｂとを有している。除電装置４は、放電対象物たる感光体１０１に放電するための放電ワイヤたるワイヤ４ａと、ワイヤ４ａのケーシング４ｂとを有している。
【００３６】
帯電装置１、転写装置２、分離帯電装置３、除電装置４は何れも本発明を適用した放電装置であって、本発明を適用した放電ワイヤ清掃装置を備えている。各放電ワイヤ清掃装置は共通の構成を採っているので、帯電装置１に備えられている放電ワイヤ清掃装置を代表して以下説明する。
【００３７】
図２又は図３又は図４に示すように、放電ワイヤ清掃装置１１は、ワイヤ１ａの張設方向ＸＹに沿って往復動する清掃部材１２と、清掃部材１２を支持し清掃部材１２とともに放電ワイヤ１ａに沿って往復動する往復動部材１３と、往復動部材１３をその正逆回転により往復動させる回転軸としての送りねじ棒であるねじ棒１４と、ねじ棒１４を回転駆動する図示しない駆動源としてのモータとを有している。図３、図４において矢印Ｘ、Ｙは、ワイヤ１ａの張設方向ＸＹとともに、これと平行な、往復動部材１３の往動方向Ｘ、復動方向Ｙを示している。なお、図３においては、ねじ棒１４の図示を省略している。
【００３８】
往復動部材１３は、清掃部材１２を支持した支持部１３ａと、支持部１３ａをその一方の面に突設された平板状の基部１３ｂと、ねじ棒１４にねじ結合した螺合部１３ｃと、基部１３ｂの他方の面側に位置し基部１３ｂを螺合部１３ｃに対して回転自在に支持し連結した連結部１３ｄと有している。支持部１３ａと基部１３ｂとにより支持部材としてのクリーナ１５が構成されている。螺合部１３ｃと連結部１３ｄとによりクリーナ１５をワイヤ１ａに沿って往復動させるためのスライダ１６が構成されている。
【００３９】
支持部１３ａは、ワイヤ１ａを挟んで互いに対向する第１の支持部１３ａ１と第２の支持部１３ａ２とを有している。基部１３ｂは、支持部１３ａの反対側に、連結部１３ｄに回転自在に嵌合する図示しない突部を有しており、連結部１３ｄにより、感光体１０１に対向する平面内すなわち図３の紙面と平行な平面内で回転自在に支持されている。感光体１０１は、図２、図３における上方、図４の紙面手前側に位置する。これにより、クリーナ１５は、感光体１０１に対向する平面内で回転自在とされている。
【００４０】
螺合部１３ｃは、下部が切り欠かれた円筒状をなし、その内周面に図示しない螺旋溝が形成され、この螺旋溝がねじ棒１４と螺合している。これにより、スライダ１６が、ねじ棒１４の正転時には、Ｘ方向に移動し、ねじ棒１４の逆転時には、Ｙ方向に移動するようになっている。
【００４１】
清掃部材１２は、往動時にワイヤ１ａに係合し摺接する第１の清掃部１２ａと、復動時にワイヤ１ｂに係合し摺接する第２の清掃部１２ｂとを有している。第１の清掃部１２ａは、ワイヤ１ａの他方側かつＸ方向下流側に位置する部材である清掃材としてのワイヤクリーナパッド１２ａ１と、ワイヤ１ａの一方側かつＸ方向上流側に位置する部材である清掃材としてのワイヤクリーナパッド１２ａ２とを有している。第２の清掃部１２ｂは、ワイヤ１ａの一方側かつＸ方向下流側に位置する部材である清掃材としてのワイヤクリーナパッド１２ｂ１と、ワイヤ１ａの他方側かつＸ方向上流側に位置する部材である清掃材としてのとしてのワイヤクリーナパッド１２ｂ２とを有している。このように、第１の清掃部１２ａと第２の清掃部１２ｂとはそれぞれ、ワイヤ１ａに対して互いに反対側から係合する２つの部材を有している。
【００４２】
ワイヤクリーナパッド１２ｂ１とワイヤクリーナパッド１２ａ２とは、第１の支持部１３ａ１によって支持されており、ワイヤクリーナパッド１２ａ１とワイヤクリーナパッド１２ｂ２とは、第２の支持部１３ａ２によって支持されている。クリーナ１５は、図４に示すように、第１の清掃部１２ａをワイヤ１ａに係合させる第１の態位と、図５に示すように、第２の清掃部１２ｂをワイヤ１ａに係合させる第２の態位とを占めることが可能となっている。
【００４３】
クリーナ１５は、その往動の始端部で第１の態位を占める状態となり、その復動の始端部で第２の態位を占める状態となるようになっている。クリーナ１５のこのような動作は、放電ワイヤ清掃装置１１に備えられた、図２ないし図１８の何れかに少なくともその一部を示す搖動手段１７によって行われる。
【００４４】
搖動手段１７は、スライダ１６と、ワイヤ１ａの張設方向ＸＹにほぼ平行に設けられた内側面を有する並設部材としてのケーシング１ｂと、基部１３ｂに凸設して形成された第１の係合部としての凸部である爪部１８と、図４に示すクリーナ１５の往動又は復動の始端部に配設され、爪部１８に係合してクリーナ１５の態位を第１の態位と第２の態位との間で変更するための第２の係合部としての、爪部１８を受け入れるようケーシング１ｂに形成された凹部である孔部１９、２０と、孔部１９、２０が爪部１８を受け入れた状態で基部１３ｂに係合し、第１の清掃部１２ａと第２の清掃部１２ｂとの何れもがワイヤー１ａから離間するようクリーナ１５の姿勢を制御する、図７ないし図１８の何れかに示す姿勢制御部材２１、２２とを有している。
【００４５】
なお、図４においては、クリーナ１５の往復動の始端を区別することなく図示しているため同一の部分を孔部１９、２０として示しているが、実際には、孔部１９は図７ないし図９又は図１６ないし１８に示すように、クリーナ１５の往動の始端、言い換えると復動の終端に位置し、孔部２０は図１０ないし図１５に示すようにクリーナ１５の復動の始端、言い換えると往動の終端に位置している。また、姿勢制御部材２１は図７ないし図９又は図１６ないし１８に示すように、クリーナ１５の往動の始端、言い換えると復動の終端に位置し、姿勢制御部材２２は図１０ないし図１５に示すようにクリーナ１５の復動の始端、言い換えると往動の終端に位置している。
【００４６】
爪部１８は、尖端１８ａの両側に辺１８Ｘ、１８Ｙを有している。辺１８Ｘは、尖端１８ａよりＸ方向下流側に位置している。辺１８Ｙは、尖端１８ａよりＹ方向下流側に位置している。本実施例において凹部はケーシング１ｂに穿設された孔部１９又は孔部２０とされているが、本発明にかかる凹部とは、以下説明するように、爪部１８のような凸部を受け入れ、またその縁部で凹部に係合してかかる凸部を備えたクリーナ１５のような支持部材を搖動させる形状を意味するものであって、孔形状に限らず、文字通り凹形状をなしているものであってもよい。
【００４７】
図４又は図７又は図１２又は図１３又は図１８に示すように、爪部１８は、クリーナ１５の往復動の始端部においては、基部１３ｂが姿勢制御部材２１または姿勢制御部材２２と係合することにより、ケーシング１ｂとの係合が解除された状態となり、清掃部材１２のワイヤ１ａに対する係合も解除された状態となる。クリーナ１５が往動を開始するときには、爪部１８が孔部１９のＸ方向下流側の縁部に係合し、クリーナ１５が感光体１０１に対向する平面内で搖動し、図５に示すように、クリーナ１５の往動中においては、辺１８Ｘが、ケーシング１ｂの内側面に摺接し、クリーナ１５の第１の態位を維持する。クリーナ１５が復動を開始するときには、爪部１８が孔部２０のＹ方向下流側の縁部に係合し、クリーナ１５が感光体１０１に対向する平面内で搖動し、図６に示すように、クリーナ１５の往動中においては、辺１８Ｙが、ケーシング１ｂの内側面に摺接し、クリーナ１５の第２の態位を維持する。
【００４８】
ワイヤクリーナパッド１２ａ１、１２ａ２、１２ｂ１、１２ｂ２は何れも、ワイヤ１ａの形状に沿って変形する弾性部材を有している。具体的には、第１の清掃部１２ａを構成するワイヤクリーナパッド１２ａ１、１２ａ２は、弾性部材としての多孔性発泡部材を有しており、第２の清掃部１２ｂを構成するワイヤクリーナパッド１２ｂ１、１２ｂ２は、弾性部材としてのフェルト状の不織布を有している。
【００４９】
第１の清掃部１２ａを構成するワイヤクリーナパッド１２ａ１、１２ａ２をなす多孔性発泡部材には、研磨剤が全体に含浸してあり、ワイヤクリーナパッド１２ａ１、１２ａ２自身が、ワイヤ１ａを研磨する機能を有している。ワイヤクリーナパッド１２ａ１、１２ａ２自身すなわち弾性部材自身にワイヤ１ａを研磨する機能を持たせることで清掃部材１２にワイヤ１ａを研磨する機能を持たせる場合には、弾性部材自身に研磨剤を含浸させた構成に代えて、またはこれとともに、弾性部材自身に研磨剤を練り込んだ構成とすることができる。ワイヤクリーナパッド１２ａ１、１２ａ２自身が放電ワイヤ１ａを研磨する機能を有する構成においては、ワイヤ１ａがワイヤクリーナパッド１２ａ１、１２ａ２に食い込んでも常に安定した清掃機能を保つという利点がある。多孔性発泡部材には、スポンジ等が含まれる。
【００５０】
清掃部材１２にワイヤ１ａを研磨する機能を持たせる場合、ワイヤクリーナパッド１２ａ１、１２ａ２自身が研磨機能を有するのでなく、ワイヤクリーナパッド１２ａ１、１２ａ２の、ワイヤ１ａに係合する部分に、ワイヤクリーナパッド１２ａ１、１２ａ２と一体の紙やすり等の研磨部材を設けてもよい。
【００５１】
第２の清掃部１２ｂを構成するワイヤクリーナパッド１２ｂ１、１２ｂ２の材質であるフェルト状の不織布は、ワイヤ１ａに付着した不要物を吸着し、保持するものである。ワイヤクリーナパッド１２ｂ１、１２ｂ２の材質は、多孔性発泡部材でもよく、多孔性発泡部材には、第１の清掃部１２ａにおけると同様、スポンジ等が含まれる。多孔性発泡部材とする場合には、第１の清掃部１２ａの材質と共通化することがコスト抑制の点から好ましい。
【００５２】
不要物とは、感光体１０１等から飛翔し又画像形成装置１００内の雰囲気中を漂っていたトナーや紙粉、及び第１の清掃部１２ａの研磨機能によりワイヤ１ａから剥離されたかかるトナー等、第１の清掃部１２ａの研磨により生じた研磨粉等であって、ワイヤ１ａに付着しており、放電に影響を及ぼすものをいう。第２の清掃部１２ｂを構成するワイヤクリーナパッド１２ｂ１、１２ｂ２の材質は、このような不要物をワイヤ１ａから除去するものであれば、かかる不要物を吸着するもの、保持するもの、あるいはその両方の性質を有するものの何れであってもよい。
【００５３】
また、本実施例のように、第１の清掃部１２ａに放電ワイヤを研磨する第１の機能を持たせ、第２の清掃部１２ｂに放電ワイヤに付着した不要物を吸着等する第２の機能を持たせれば、第１の清掃部１２ａと第２の清掃部とで異なる機能を有し、往動時、復動時の両方で清掃が行われるため清掃効率が向上している上に、これに加えて、往動時、復動時での清掃機能が異なっているので、さらに清掃効率が向上している。特に、第１の清掃部１２ａにより往動時にワイヤ１ａから研磨によって剥離された不要物が、第２の清掃部１２ｂにより復動時にワイヤ１ａから拭われるようにして除去されるため、清掃効率が極めて高い。
【００５４】
なお、第１の清掃部１２ａと第２の清掃部１２ｂとで異なる機能を持たせる場合には、本実施例と異なり、第２の清掃部１２ｂに研磨機能を持たせ、第１の清掃部１２ａに吸着等の機能を持たせてもよいが、クリーナ１５の一回あるいは複数回の往復動で一回の清掃動作が終了する場合には、研磨機能により剥離された不要物をすぐに拭うことが好ましく、したがって、本実施例のように第１の清掃部１２ａに研磨機能を持たせ、第２の清掃部１２ｂに吸着等の機能を持たせることが好ましい。また、コスト面等を考慮し、第１の清掃部１２ａと第２の清掃部１２ｂとに同一の機能をもたせてもよい。
【００５５】
画像形成装置１００は以上のような構成であるので、操作者による所定の操作により、画像形成装置１００の電源が投入され、又は待機状態から動作状態に移行した後、操作者が画像形成を開始する周知の操作を行うと、帯電装置１による帯電工程によって均一に帯電された感光体１０１は、矢印Ａ方向の回転により、外部から入力されるデータ等に応じて照射されるレーザ光１０３による露光工程における潜像形成、現像装置１０４による現像によって行われる現像工程、転写装置２による転写工程、分離帯電装置３による転写紙分離工程、クリーニング装置１０６によるクリーニング工程、除電装置４よる除電工程を経て再び帯電工程に移る。
【００５６】
転写工程によってトナー像を転写された転写紙Ｐは、定着装置１７に進入し、定着装置１０２における定着工程によってトナー像を定着される。トナー像を定着された転写紙Ｐは、画像形成装置１００の外に排出される。このような画像形成工程において、かかる帯電工程、転写工程、転写紙分離工程、除電工程は図７ないし図１８に沿って次に説明する動作により良好に清掃されたワイヤ１ａ、２ａ、３ａ、４ａによって、良好に行われ、画像形成が良好に行われる。
【００５７】
図７に示すように、クリーナ１５は、往動の始端部において、姿勢制御部材２１に係合し、爪部１８が孔部１９に進入してケーシング１ｂ、２ｂ、３ｂ、４ｂに対する係合を解除され、清掃部材１２もワイヤ１ａ、２ａ、３ａ、４ａから離間している。この状態をクリーナ１５のホームポジションという。
【００５８】
モータに通電されねじ棒１４が正転されると、スライダ１６の作用によりクリーナ１５が往動を開始してＸ方向に移動を開始する。図８に示すように、爪部１８が孔部１９のＸ方向下流側縁部に係合し、さらにクリーナ１５がＸ方向に移動すると、クリーナ１５が感光体１０１に対向する平面内で、図における時計方向であるＣ方向に回転、搖動を開始し、第１の清掃部１２がワイヤ１ａ、２ａ、３ａ、４ａへの係合を開始する。
【００５９】
図９に示すように、クリーナ１５がさらにＸ方向に移動すると、辺１８Ｘがケーシング１ｂ、２ｂ、３ｂ、４ｂの内側縁に係合し、同内側縁に辺１８Ｘが摺接しながら、クリーナ１５がＸ方向への移動を続け、この過程において第１の係合部１２ａがワイヤ１ａ、２ａ、３ａ、４ａへの清掃作用、具体的には研磨作用を行い、不要物をワイヤ１ａ、２ａ、３ａ、４ａから剥離する。
【００６０】
図１０に示すように、クリーナ１５が往動端付近まで移動すると、図１１に示すように、爪部１８とケーシング１ｂ、２ｂ、３ｂ、４ｂの内側縁との係合が解除され、基部１３ｂと姿勢制御部材２２との係合が始まり、爪部１８が孔部２０に進入し、クリーナ１５は図における反時計方向であるＤ方向に回転、搖動を開始する。
【００６１】
図１２に示すように、クリーナ１５が往動の終端まで移動すると、基部１３ｂと姿勢制御部材２２との係合により、第１の清掃部１２ａがワイヤ１ａ、２ａ、３ａ、４ａから離間するまで、クリーナがＤ方向に回転、搖動し、この状態でモータへの通電が停止し、ねじ棒１４の回転が停止されてクリーナ１５のＸ方向への移動が停止する。これによりクリーナ１５の往動が終了するとともに、第１の清掃部１２ａによるワイヤ１ａ、２ａ、３ａ、４ａの清掃、具体的には研磨工程が終了する。
【００６２】
図１２又は図１３に示すように、クリーナ１５は、往動の終端部、言い換えると復動の始端部において、姿勢制御部材２２に係合し、爪部１８が孔部２０に進入してケーシング１ｂ、２ｂ、３ｂ、４ｂに対する係合を解除され、清掃部材１２もワイヤ１ａ、２ａ、３ａ、４ａから離間している。往動のためのモータへの通電の停止に続けて、モータに復動のための通電が開始され、ねじ棒１４が逆転されると、スライダ１６の作用によりクリーナ１５が復動を開始してＹ方向に移動を開始する。
【００６３】
図１４に示すように、爪部１８が孔部１９のＹ方向下流側縁部に係合し、さらにクリーナ１５がＹ方向に移動すると、クリーナ１５が感光体１０１に対向する平面内で、Ｄ方向に回転、搖動を開始し、第１の清掃部１２がワイヤ１ａ、２ａ、３ａ、４ａへの係合を開始する。
【００６４】
図１５に示すように、クリーナ１５がさらにＹ方向に移動すると、同内側縁に辺１８Ｙが摺接しながら、クリーナ１５がＹ方向への移動を続け、この過程において第２の係合部１２ｂがワイヤ１ａ、２ａ、３ａ、４ａへの清掃作用、具体的には不要物の吸着作用、保持作用を行い、不要物をワイヤ１ａ、２ａ、３ａ、４ａから除去する。
【００６５】
図１６に示すように、クリーナ１５が復動端付近まで移動すると、図１７に示すように、爪部１８とケーシング１ｂ、２ｂ、３ｂ、４ｂの内側縁との係合が解除され、基部１３ｂと姿勢制御部材２１との係合が始まり、爪部１８が孔部１９に進入し、クリーナ１５はＣ方向に回転、搖動を開始する。
【００６６】
図１８に示すように、クリーナ１５が復動の終端まで移動すると、基部１３ｂと姿勢制御部材２１との係合により、第２の清掃部１２ｂがワイヤ１ａ、２ａ、３ａ、４ａから離間するまで、クリーナがＣ方向に回転、搖動し、この状態でモータへの通電が停止し、ねじ棒１４の回転が停止されてクリーナ１５のＹ方向への移動が停止する。
【００６７】
これによりクリーナ１５がホームポジションを占め、復動が終了するとともに、第２の清掃部１２ｂによるワイヤ１ａ、２ａ、３ａ、４ａの清掃、具体的には不要物の吸着工程、保持工程が終了し、放電ワイヤ清掃装置１１による清掃動作が終了する。放電ワイヤ清掃装置１１による清掃動作は、クリーナ１５のかかる往復動を複数回行うことで終了するようにしてもよい。
【００６８】
以上、本発明を適用した放電ワイヤ清掃装置、放電装置、画像形成装置を説明したが、第１の清掃部、第２の清掃部は、それぞれ、放電ワイヤに対して互いに反対側から係合する部材として２つの部材を有するに限らず、３つ以上の部材を有していてもよく、少なくとも２つの部材を有していれば放電ワイヤに対して互いに反対側から係合して放電ワイヤの全周を清掃するようにすることができる。本発明を適用した放電装置は、転写装置２による転写を行う前の除電を行う転写前除電装置に用いてもよい。
【００６９】
【発明の効果】
本発明は、放電ワイヤに沿って往復動する清掃部材を有する放電ワイヤ清掃装置において、上記清掃部材が、往動時に放電ワイヤに係合する第１の清掃部と、復動時に放電ワイヤに係合する第２の清掃部とを有するので、清掃部材の往動時および復動時の何れにおいても放電ワイヤの清掃を行うとともに、往動時と復動時とで異なる清掃部によって清掃を行うので、清掃部材の一方向への移動時に一旦は清掃部材に付着し放電ワイヤから除去された汚れが、他方向への移動時に放電ワイヤに再付着することがなく、良好に清掃を行うことができ、長期にわたって清掃性能を維持することができ長期にわたって放電ワイヤの放電性能を良好に保つことができる放電ワイヤ清掃装置を提供することができる。
【００７０】
清掃部材を支持し同清掃部材とともに放電ワイヤに沿って往復動する支持部材であって、第１の清掃部を放電ワイヤに係合させる第１の態位と、第２の清掃部を放電ワイヤに係合させる第２の態位を占めることが可能な支持部材と、この支持部材の往動の始端部で同支持部材を第１の態位とし、同支持部材の復動の始端部で同支持部材を第２の態位とする搖動手段とを有することとすれば、搖動手段により支持部材の態位を制御することによって、第１の態位と第２の態位とを選択的に占めることが可能となり、これにより第１の清掃部と第２の清掃部とにより選択的に放電ワイヤを清掃することが可能となって、清掃部材の往動時および復動時の何れにおいても放電ワイヤの清掃を行うとともに、往動時と復動時とで異なる清掃部によって清掃を行うので、清掃部材の一方向への移動時に一旦は清掃部材に付着し放電ワイヤから除去された汚れが、他方向への移動時に放電ワイヤに再付着することがなく、良好に清掃を行うことができ、長期にわたって清掃性能を維持することができ長期にわたって放電ワイヤの放電性能を良好に保つことができる放電ワイヤ清掃装置を提供することができる。
【００７１】
搖動手段が、支持部材に形成された第１の係合部と、上記支持部材の往復動の始端部に配設され第１の係合部に係合し上記支持部材の態位を第１の態位と第２の態位との間で変更するための第２の係合部とを有することとすれば、搖動手段に備えられた第１の係合部と第２の係合部との係合により支持部材の態位を制御することによって、支持部材が第１の態位と第２の態位とを選択的に占めることが可能となり、これにより第１の清掃部と第２の清掃部とにより選択的に放電ワイヤを清掃することが可能となって、清掃部材の往動時および復動時の何れにおいても放電ワイヤの清掃を行うとともに、往動時と復動時とで異なる清掃部によって清掃を行うので、清掃部材の一方向への移動時に一旦は清掃部材に付着し放電ワイヤから除去された汚れが、他方向への移動時に放電ワイヤに再付着することがなく、良好に清掃を行うことができ、長期にわたって清掃性能を維持することができ長期にわたって放電ワイヤの放電性能を良好に保つことができる放電ワイヤ清掃装置を提供することができる。
【００７２】
搖動手段が、支持部材の往動中は同支持部材の第１の態位を維持し、上記支持部材の復動中は同支持部材の第２の態位を維持することとすれば、往動中は第１の清掃部により清掃を継続し、復動中は第２の清掃部により清掃を継続することで、清掃部材の往動時および復動時の何れにおいても継続して放電ワイヤの清掃を良好に行うことができ長期にわたって放電ワイヤの放電性能を良好に保つことができる放電ワイヤ清掃装置を提供することができる。
【００７３】
搖動手段が、放電ワイヤの張設方向に略平行に設けられた並設部材を有し、この並設部材が、支持部材の往復動中に第１の係合部に係合することで、上記支持部材の往動中は同支持部材の第１の態位を維持し、上記支持部材の往動中は同支持部材の第１の態位を維持することとすれば、比較的簡易な構成で支持部材の態位を維持することが可能となり、往動中は第１の清掃部により清掃を継続し、復動中は第２の清掃部により清掃を継続することで、清掃部材の往動時および復動時の何れにおいても継続して放電ワイヤの清掃を良好に行うことができ長期にわたって放電ワイヤの放電性能を良好に保つことができる放電ワイヤ清掃装置を提供することができる。
【００７４】
並設部材が第２の係合部を有することとすれば、比較的簡易な構成で、支持部材の態位を維持すること及び支持部材の態位を第１の態位と第２の態位との間で変更することが可能となり、往動中は第１の清掃部により清掃を継続し、復動中は第２の清掃部により清掃を継続することで、清掃部材の往動時および復動時の何れにおいても継続して放電ワイヤの清掃を良好に行うことができ長期にわたって放電ワイヤの放電性能を良好に保つことができる放電ワイヤ清掃装置を提供することができる。
【００７５】
並設部材が放電ワイヤのケーシングに備えられていることとすれば、通常放電ワイヤの張設方向にほぼ平行に設けられた部分を有するケーシングを並設部材として利用することで、部品点数の増加を生じることなく、支持部材の態位を維持することが可能となり、往動中は第１の清掃部により清掃を継続し、復動中は第２の清掃部により清掃を継続することで、清掃部材の往動時および復動時の何れにおいても継続して放電ワイヤの清掃を良好に行うことができ長期にわたって放電ワイヤの放電性能を良好に保つことができる放電ワイヤ清掃装置を提供することができる。
【００７６】
第１の係合部が支持部材に凸設された凸部であり、第２の係合部が上記凸部を受け入れる凹部であることとすれば、搖動手段に備えられた、比較的簡易な構成の第１の係合部と第２の係合部との係合により支持部材の態位を制御することによって、支持部材が第１の態位と第２の態位とを選択的に占めることが可能となり、これにより第１の清掃部と第２の清掃部とにより選択的に放電ワイヤを清掃することが可能となって、清掃部材の往動時および復動時の何れにおいても放電ワイヤの清掃を行うとともに、往動時と復動時とで異なる清掃部によって清掃を行うので、清掃部材の一方向への移動時に一旦は清掃部材に付着し放電ワイヤから除去された汚れが、他方向への移動時に放電ワイヤに再付着することがなく、良好に清掃を行うことができ、長期にわたって清掃性能を維持することができ長期にわたって放電ワイヤの放電性能を良好に保つことができる放電ワイヤ清掃装置を提供することができる。
【００７７】
搖動手段が、支持部材を、放電ワイヤによる放電対象物に対向する平面内で搖動させることとすれば、放電ワイヤと放電対象物との距離を保ちながら清掃を行うことで、放電ワイヤの放電性能低下を生じることなく清掃できるとともに、清掃部材の往動時および復動時の何れにおいても放電ワイヤの清掃を行い、また往動時と復動時とで異なる清掃部によって清掃を行うので、清掃部材の一方向への移動時に一旦は清掃部材に付着し放電ワイヤから除去された汚れが、他方向への移動時に放電ワイヤに再付着することがなく、良好に清掃を行うことができ、長期にわたって清掃性能を維持することができ長期にわたって放電ワイヤの放電性能を良好に保つことができる放電ワイヤ清掃装置を提供することができる。
【００７８】
第１の清掃部と第２の清掃部とがそれぞれ、放電ワイヤに対して互いに反対側から係合する少なくとも２つの部材を有することとすれば、清掃部材が放電ワイヤのより多くの部分に係合するとともに、清掃部材の往動時および復動時の何れにおいても放電ワイヤの清掃を行い、また往動時と復動時とで異なる清掃部によって清掃を行うので、清掃部材の一方向への移動時に一旦は清掃部材に付着し放電ワイヤから除去された汚れが、他方向への移動時に放電ワイヤに再付着することがなく、放電ワイヤのより多くの部分を良好に清掃を行うことができ、長期にわたって清掃性能を維持することができ長期にわたって放電ワイヤの放電性能を良好に保つことができる放電ワイヤ清掃装置を提供することができる。
【００７９】
清掃部材が、放電ワイヤの形状に沿って変形する弾性部材を有することとすれば、清掃部材が放電ワイヤのさらに多くの部分に係合し、とくに第１の清掃部と第２の清掃部とがそれぞれ放電ワイヤに対して互いに反対側から係合する少なくとも２つの部材を有する場合には放電ワイヤの全体に係合することとなり、清掃部材の往動時および復動時の何れにおいても放電ワイヤの清掃を行い、また往動時と復動時とで異なる清掃部によって清掃を行うので、清掃部材の一方向への移動時に一旦は清掃部材に付着し放電ワイヤから除去された汚れが、他方向への移動時に放電ワイヤに再付着することがなく、放電ワイヤのより多くの部分、とくに第１の清掃部と第２の清掃部とがそれぞれ放電ワイヤに対して互いに反対側から係合する少なくとも２つの部材を有する場合には放電ワイヤの全体を良好に清掃することができ、長期にわたって清掃性能を維持することができ長期にわたって放電ワイヤの放電性能を良好に保つことができる放電ワイヤ清掃装置を提供することができる。
【００８０】
清掃部材が、放電ワイヤに係合し放電ワイヤを研磨するための、弾性部材と一体の研磨部材を有することとすれば、研磨部材により、放電ワイヤに付着した不要物を放電ワイヤから剥離することができ、清掃部材の一方向への移動時に一旦は清掃部材に付着し放電ワイヤから除去された汚れが、他方向への移動時に放電ワイヤに再付着することがないうえに、さらに良好に清掃を行うことができ、長期にわたって清掃性能を維持することができ長期にわたって放電ワイヤの放電性能をより良好に保つことができる放電ワイヤ清掃装置を提供することができる。
【００８１】
弾性部材自身が、放電ワイヤを研磨することとすれば、弾性部材自身により、放電ワイヤに付着した不要物を放電ワイヤから剥離することができ、清掃部材の一方向への移動時に一旦は清掃部材に付着し放電ワイヤから除去された汚れが、他方向への移動時に放電ワイヤに再付着することがないうえに、さらに良好に清掃を行うことができ、また放電ワイヤが弾性部材に食い込んでも清掃機能を維持できるので、長期にわたって清掃性能を維持することができ長期にわたって放電ワイヤの放電性能をより良好に保つことができる放電ワイヤ清掃装置を提供することができる。
【００８２】
清掃部材が、放電ワイヤに付着した不要物を吸着及び／又は保持することとすれば、清掃部材の一方向への移動時に一旦は清掃部材に付着し放電ワイヤから除去された汚れが、他方向への移動時に放電ワイヤに再付着することが良好に防止されることで、さらに良好に清掃を行うことができ、長期にわたって清掃性能を維持することができ長期にわたって放電ワイヤの放電性能をより良好に保つことができる放電ワイヤ清掃装置を提供することができる。
【００８３】
清掃部材が、放電ワイヤを研磨する第１の機能と、放電ワイヤに付着した不要物を吸着及び／又は保持する第２の機能とを有する放電ワイヤ清掃装置において、第１の清掃部と第２の清掃部とのうち、何れか一方が第１の機能を有し、何れか他方が第２の機能を有することとすれば、清掃部材の往動時と復動時とで、異なる清掃機能を持たせることができ、清掃部材の一方向への移動時に放電ワイヤから不要物を剥離するとともに、一旦剥離され清掃部材に付着し放電ワイヤから除去された汚れが、他方向への移動時に放電ワイヤに再付着することが良好に防止され、さらには放電ワイヤから剥離された不要物が拭われることで、さらに良好に清掃を行うことができ、長期にわたって良好に清掃性能を維持することができ長期にわたって放電ワイヤの放電性能をさらに良好に保つことができる放電ワイヤ清掃装置を提供することができる。
【００８４】
本発明は、請求項１ないし１５の何れか１つに記載の放電ワイヤ清掃装置と、この放電ワイヤ清掃装置により清掃される放電ワイヤとを有する放電装置にあるので、上述の各効果を奏する放電ワイヤ清掃装置を有し、一旦放電ワイヤから除去された汚れが再付着することがなく、放電ワイヤの清掃が良好に行われ、放電性能を経時的にも良好に保つことができる放電装置を提供することができる。
【００８５】
本発明は、請求項１ないし１５の何れか１つに記載の放電ワイヤ清掃装置、または、請求項１６記載の放電装置を有する画像形成装置にあるので、上述の各効果を奏する放電ワイヤ清掃装置又は放電装置を有し、一旦放電ワイヤから除去された汚れが再付着することがなく、放電ワイヤの清掃が良好に行われ、放電性能が経時的にも良好に保たれて、これにより経時的に良好な画像形成を行うことができる画像形成装置を提供することができる。
【００８６】
放電装置が、像担持体を帯電させるための帯電装置及び／又は像担持体を除電するための除電装置及び／又は像担持体上のトナー像を記録媒体に転写するための転写装置及び／又は像担持体から記録媒体を分離するための分離装置であることとすれば、一旦放電ワイヤから除去された汚れが再付着することがなく、放電ワイヤの清掃が良好に行われ、放電性能が経時的にも良好に保たれて、経時的に帯電工程や除電工程や転写皇帝や分離工程を良好に行い、これにより良好な画像形成を行うことができる画像形成装置を提供することができる。
【図面の簡単な説明】
【図１】本発明を適用した放電ワイヤ清掃装置を有する放電装置と、この放電装置を有する画像形成装置との概略図である。
【図２】本発明を適用した放電ワイヤ清掃装置の正面図である。
【図３】本発明を適用した放電ワイヤ清掃装置の側面図である。
【図４】本発明を適用した放電ワイヤ清掃装置の平面図である。
【図５】図４に示した支持部材の第１の態位を示す平面図である。
【図６】図４に示した支持部材の第２の態位を示す平面図である。
【図７】支持部材が清掃開始時においてホームポジションを占める状態を示す平面図である。
【図８】第１の係合部が往動時において第２の係合部への係合を開始した状態を示す平面図である。
【図９】支持部材が第１の態位を維持したまま往動を継続する様子を示した平面図である。
【図１０】支持部材が往動の終端付近まで移動した様子を示した平面図である。
【図１１】第１の係合部が往動時においてケーシングへの係合を終了した状態を示す平面図である。
【図１２】支持部材の往動の終端での様子を示す平面図である。
【図１３】支持部材の復動の始端での様子を示す平面図である。
【図１４】第１の係合部が復動時において第２の係合部への係合を開始した状態を示す平面図である。
【図１５】支持部材が第１の態位を維持したまま復動を継続する様子を示した平面図である。
【図１６】支持部材が復動の終端付近まで移動した様子を示した平面図である。
【図１７】第１の係合部が復動時においてケーシングへの係合を終了した状態を示す平面図である。
【図１８】支持部材が清掃終了時においてホームポジションを占める状態を示す平面図である。
【符号の説明】
１    放電装置としての帯電装置
１ａ    放電装置としての帯電装置の放電ワイヤ
１ｂ    並設部材としてのケーシング
２    放電装置としての転写装置
２ａ    放電装置としての転写装置の放電ワイヤ
２ｂ    並設部材としてのケーシング
３    放電装置としての分離装置
３ａ    放電装置としての分離装置の放電ワイヤ
３ｂ    並設部材としてのケーシング
４    放電装置としての除電装置
４ａ    放電装置としての除電装置の放電ワイヤ
４ｂ    並設部材としてのケーシング
１１    放電ワイヤ清掃装置
１２    清掃部材
１２ａ    第１の清掃部
１２ａ１、１２ａ２    第１の清掃部に備えられ放電ワイヤに対して互いに反対側から係合する部材
１２ｂ    第２の清掃部
１２ｂ１、１２ｂ２    第２の清掃部に備えられ放電ワイヤに対して互いに反対側から係合する部材
１５    支持部材
１７    搖動手段
１８    第１の係合部、凸部
１９、２０    第２の係合部、凹部
１００    画像形成装置
【図１】
2004317702.tif 000003
【図２】
2004317702.tif 000004
【図３】
2004317702.tif 000005
【図４】
2004317702.tif 000006
【図５】
2004317702.tif 000007
【図６】
2004317702.tif 000008
【図７】
2004317702.tif 000009
【図８】
2004317702.tif 000010
【図９】
2004317702.tif 000011
【図１０】
2004317702.tif 000012
【図１１】
2004317702.tif 000013
【図１２】
2004317702.tif 000014
【図１３】
2004317702.tif 000015
【図１４】
2004317702.tif 000016
【図１５】
2004317702.tif 000017
【図１６】
2004317702.tif 000018
【図１７】
2004317702.tif 000019
【図１８】
2004317702.tif 000020